【手続補正書】
【提出日】平成17年8月24日(2005.8.24)
【手続補正１】
【補正対象書類名】明細書
【補正対象項目名】発明の名称
【補正方法】変更
【補正の内容】
【発明の名称】電子機器
【手続補正２】
【補正対象書類名】明細書
【補正対象項目名】特許請求の範囲
【補正方法】変更
【補正の内容】
【特許請求の範囲】
【請求項１】  着脱式電子機器を着脱可能な電子機器において、
前記電子機器に配置されたコネクタユニットと、
前記コネクタユニットに着脱可能であり、着脱式電子機器が装着される装着ユニットと、
前記コネクタユニットから前記装着ユニットを取り外す取り外し機構と、
前記取り外し機構を駆動させる駆動部と、
前記装着ユニットに装着された前記着脱式電子機器が稼動中である場合、前記取り外し機構が前記コネクタユニットから前記装着ユニットを取り外すことを防止するように、前記駆動部を制御する制御部とを有することを特徴とする電子機器。
【請求項２】  更に、前記着脱式電子機器を前記装着ユニットから取り外す着脱式電子機器取り外し機構を有し、
前記装着ユニットに装着された前記着脱式電子機器が稼動中である場合、前記制御部は、前記着脱式電子機器取り外し機構が前記装着ユニットから前記着脱式電子機器を取り外すことを防止するように、前記着脱式電子機器取り外し機構を制御することを特徴とする請求項１に記載の電子機器。
【請求項３】  前記装着ユニットは、前記取り外し機構により前記コネクタユニットから前記装着ユニットが取り外された場合、前記電子機器外に露出される凹部を有することを特徴とする請求項１もしくは２に記載の電子機器。
【請求項４】  前記駆動部は、前記制御部から取り外し命令を受け、前記コネクタユニットから前記装着ユニットを取り外すように、前記取り外し機構を駆動させることを特徴とする請求項１乃至３のいずれかに記載の電子機器。
【請求項５】  前記駆動部は、前記取り外し機構を駆動させる単一の駆動源であることを特徴とする請求項１乃至４のいずれかに記載の電子機器。
【請求項６】  前記装着ユニットが前記コネクタユニットに装着されていない場合、前記着脱式電子機器は、前記装着ユニットに対して着脱可能であることを特徴とする請求項１乃至５のいずれかに記載の電子機器。
【請求項７】  更に、前記着脱式電子機器が故障しているか否かを判別する故障判別手段を有し、
前記故障判別手段において、前記着脱式電子機器が故障していると判別された場合、前記着脱式電子機器取り外し機構は、故障していると判別された前記着脱式電子機器を排出することを特徴とする請求項１乃至６のいずれかに記載の電子機器。
【請求項８】  更に、前記着脱式電子機器が故障しているか否かを判別する故障判別手段を有し、
前記故障判別手段において、前記着脱式電子機器が故障していると判別された場合、前記着脱式電子機器が故障していることをユーザーに報知する報知手段を有することを特徴とする請求項１乃至６のいずれかに記載の電子機器。
【請求項９】  前記装着ユニットは、複数の着脱式電子機器を装着可能であることを特徴とする請求項１乃至８のいずれかに記載の電子機器。
【請求項１０】  更に、前記着脱式電子機器取り外し機構は、前記複数の着脱式電子機器それぞれを取り外す複数の着脱式電子機器取り外し機構を有し、
前記制御部は、前記装着ユニットに装着された前記複数の着脱式電子機器の内、稼動中の着脱式電子機器を取り外すことを防止するように、前記着脱式電子機器取り外し機構を制御することを特徴とする請求項９に記載の電子機器。
【請求項１１】  前記着脱式電子機器取り外し機構は、前記複数の着脱式電子機器の内、前記故障判別手段において、故障していると判別された着脱式電子機器を排出することを特徴とする請求項１０に記載の電子機器。
【請求項１２】  更に、前記複数の着脱式電子機器の内、いずれの着脱式電子機器が故障しているかをユーザーに報知する報知手段を有することを特徴とする請求項１０に記載の電子機器。
【請求項１３】  前記取り外し機構は、前記装着ユニットをコネクタユニットから取り外す取り外し部と、前記装着ユニットを前記コネクタユニットに固定する固定部とを有することを特徴とする請求項１乃至１２のいずれかに記載の電子機器。
【請求項１４】  前記装着ユニットは、複数種類の着脱式電子機器が装着されることを特徴とする請求項１乃至１３のいずれかに記載の電子機器。
【請求項１５】  更に、前記装着ユニットは、前記着脱式電子機器を装着するための挿入口を有し、
前記着脱式電子機器が前記装着ユニットに装着された場合、前記着脱式電子機器が前記挿入口よりも凹んだ状態で装着される装着部を有することを特徴とする請求項１乃至１４のいずれかに記載の電子機器。
【手続補正３】
【補正対象書類名】明細書
【補正対象項目名】０００１
【補正方法】変更
【補正の内容】
【０００１】
【発明の属する技術分野】
本発明は、着脱式電子機器を着脱可能である電子機器に関する。
【手続補正４】
【補正対象書類名】明細書
【補正対象項目名】０００４
【補正方法】変更
【補正の内容】
【０００４】
本発明は、上述した点に鑑みなされたものであり、電子機器の動作中に、電子機器に装着されたユニットが取り外されることにより発生する、電子機器のトラブルを防止することを目的とする。
【手続補正５】
【補正対象書類名】明細書
【補正対象項目名】０００５
【補正方法】変更
【補正の内容】
【０００５】
【課題を解決するための手段】
本発明は、着脱式電子機器を着脱可能な電子機器において、前記電子機器に配置されたコネクタユニットと、前記コネクタユニットに着脱可能であり、着脱式電子機器が装着される装着ユニットと、前記コネクタユニットから前記装着ユニットを取り外す取り外し機構と、前記取り外し機構を駆動させる駆動部と、前記装着ユニットに装着された前記着脱式電子機器が稼動中である場合、前記取り外し機構が前記コネクタユニットから前記装着ユニットを取り外すことを防止するように、前記駆動部を制御する制御部とを有することを特徴とする。
【手続補正６】
【補正対象書類名】明細書
【補正対象項目名】０００６
【補正方法】削除
【補正の内容】
【手続補正７】
【補正対象書類名】明細書
【補正対象項目名】００８０
【補正方法】変更
【補正の内容】
【００８０】
【発明の効果】
本発明によれば、電子機器の動作中に、電子機器に装着されたユニットが取り外されることにより発生する、電子機器のトラブルを防止することが出来る。
【手続補正８】
【補正対象書類名】明細書
【補正対象項目名】００８１
【補正方法】削除
【補正の内容】
【手続補正９】
【補正対象書類名】明細書
【補正対象項目名】００８２
【補正方法】削除
【補正の内容】
【手続補正１０】
【補正対象書類名】明細書
【補正対象項目名】００８３
【補正方法】削除
【補正の内容】
【手続補正１１】
【補正対象書類名】明細書
【補正対象項目名】００８４
【補正方法】削除
【補正の内容】
【手続補正１２】
【補正対象書類名】明細書
【補正対象項目名】００８５
【補正方法】削除
【補正の内容】
【手続補正１３】
【補正対象書類名】明細書
【補正対象項目名】００８６
【補正方法】削除
【補正の内容】
【手続補正１４】
【補正対象書類名】明細書
【補正対象項目名】００８７
【補正方法】削除
【補正の内容】
【手続補正１５】
【補正対象書類名】明細書
【補正対象項目名】００８８
【補正方法】削除
【補正の内容】
【手続補正１６】
【補正対象書類名】明細書
【補正対象項目名】００８９
【補正方法】削除
【補正の内容】
【手続補正１７】
【補正対象書類名】明細書
【補正対象項目名】００９０
【補正方法】削除
【補正の内容】
【手続補正１８】
【補正対象書類名】明細書
【補正対象項目名】００９１
【補正方法】削除
【補正の内容】
【手続補正１９】
【補正対象書類名】明細書
【補正対象項目名】００９２
【補正方法】削除
【補正の内容】
【手続補正２０】
【補正対象書類名】明細書
【補正対象項目名】００９３
【補正方法】削除
【補正の内容】
【手続補正２１】
【補正対象書類名】明細書
【補正対象項目名】符号の説明
【補正方法】変更
【補正の内容】
【符号の説明】
１  パーソナルコンピュータ（電子機器）
３  リムーバブルハードディスク（着脱式電子機器）
５  ディスクユニット（装着ユニット）
２８  コネクタユニット（コネクタユニット）
３３、３４  凹部（凹部）
３７、３８  故障表示穴（報知手段）
５１  イジェクトレバー（取り外し機構）
５２  ロックツメ
５９  モータ（駆動部）
６８  角穴
７２、７３  イジェクトユニット（着脱式電子機器取り外し機構）
８０、８１  モータ
９４ｃ  凸部（報知手段）
１１０  ＣＰＵ（制御部、故障判別手段）
１１５、１１６  故障表示穴（報知手段）
１１７ａ、１１８ａ  凸部（報知手段）